(57)【要約】【課題】ハンドルを握った手に痛みを感じることがなく、然も簡易な工程によって製造することが可能な携帯用ハンドル付き電子機器を提供する。【解決手段】本発明に係る携帯用ハンドル付き電子機器は、一対のキャビネット半体２、３を接合してなるキャビネット１を具え、該キャビネット１には、一対のキャビネット半体２、３の接合部に沿って、携帯用のハンドル５が突設されている。又、一方のキャビネット半体２の表面には、ハンドル５との対向部に、他方のキャビネット半体３との接合面に沿って伸びる断面円弧状の凸条４が形成されている。【選択図】      図２
2004193234.tif 000002
【特許請求の範囲】
【請求項１】
一対のキャビネット半体（２）（３）を接合してなるキャビネット（１）を具え、該キャビネット（１）には、一対のキャビネット半体（２）（３）の接合部に沿って、携帯用のハンドル（５）が突設されている電子機器において、キャビネット（１）を構成する少なくとも何れか一方のキャビネット半体（２）の表面には、前記ハンドル（５）との対向部に、他方のキャビネット半体（３）との接合面に沿って伸びる断面円弧状の凸条（４）が形成されていることを特徴とする携帯用ハンドル付き電子機器。
【請求項２】
前記凸条（４）は、一対のキャビネット半体（２）（３）の接合部に生じ得る段差の大きさよりも高く形成されている請求項１に記載の携帯用ハンドル付き電子機器。
【発明の詳細な説明】
【０００１】
【発明の属する技術分野】
本発明は、オーディオプレーヤ等の携帯型の電子機器に関し、特にキャビネットに携帯用のハンドルが突設されている電子機器に関するものである。
【０００２】
【従来の技術】
一般に携帯型のオーディオプレーヤにおいては、図４に示す如く、キャビネット（６）に携帯用のハンドル（９）が突設されており、該ハンドル（９）を把持してプレーヤ本体を運搬することが出来る（例えば特許文献１参照）。
キャビネット（６）は、図５に示す如く、一対の樹脂製のキャビネット半体（７）（８）を接合してなり、ハンドル（９）は、両キャビネット半体（７）（８）の接合部との間に指を挿入することが可能な空間をおいて、該接合部に沿って伸びている。
【０００３】
【特許文献１】
実開平６−２７４９号公報
【０００４】
【発明が解決しようとする課題】
しかしながら、図４に示す従来の携帯型オーディオプレーヤにおいては、図５に示す如く、一対のキャビネット半体（７）（８）の成型誤差や組立誤差によって、両キャビネット半体（７）（８）の接合面が完全に合致せず、一方のキャビネット半体（８）の接合面が他方のキャビネット半体（７）の接合面よりも上方へずれて、両キャビネット半体（７）（８）の接合部に段差が生じ、該段差によって鋭いエッジ（８１）が形成されることがある。
【０００５】
この場合、図６に示す如くハンドル（９）を把持すると、ハンドル（９）を握る手の指の背面がキャビネット（６）のエッジ（８１）に接触して、指に痛みを感じたり、場合によっては指が傷つく虞があった。
この問題を解決するためには、極めて精度の高い金型を用いた成型工程や、エッジを除去する仕上げ工程等が必要となって、製造コストの上昇を招くことになる。
そこで本発明の目的は、ハンドルを握った手に痛みを感じることのない構造を有し、然も簡易な工程によって製造することが可能な携帯型用ハンドル付き電子機器を提供することである。
【０００６】
【課題を解決する為の手段】
本発明に係る携帯用ハンドル付き電子機器は、一対のキャビネット半体（２）（３）を接合してなるキャビネット（１）を具え、該キャビネット（１）には、一対のキャビネット半体（２）（３）の接合部に沿って、携帯用のハンドル（５）が突設されている。
ここで、キャビネット（１）を構成する少なくとも何れか一方のキャビネット半体（２）の表面には、前記ハンドル（５）との対向部に、他方のキャビネット半体（３）との接合面に沿って伸びる断面円弧状の凸条（４）が形成されている。
【０００７】
上記本発明の携帯用ハンドル付き電子機器において、前記凸条（４）は、一対のキャビネット半体（２）（３）の接合部に生じ得る段差の大きさよりも高く形成される。従って、ハンドル（５）を把持した場合、ハンドル（５）を握る手の指の背面は、凸条（４）の表面によって受け止められ、前記段差によって形成されるエッジには接触しない。ここで、凸条（４）の表面は、断面円弧状に形成されているので、指に痛みを感じたり、指が傷つくことはない。
【０００８】
【発明の効果】
本発明に係る携帯用ハンドル付き電子機器によれば、ハンドル（５）を握った手に痛みを感じることがなく、然も、凸条（４）は何れか一方のキャビネット半体（２）に一体成型することが出来るので、簡易な工程によって製造が可能である。
【０００９】
【発明の実施の形態】
以下、本発明を携帯型オーディオプレーヤに実施した形態につき、図面に沿って具体的に説明する。
本発明に係る携帯型オーディオプレーヤにおいては、図１に示す如く、キャビネット（１）に携帯用のハンドル（５）が突設されており、該ハンドル（５）を把持してプレーヤ本体を運搬することが出来る。
【００１０】
キャビネット（１）は、図２に示す如く、一対の樹脂製のキャビネット半体（２）（３）を接合してなり、ハンドル（５）は、両キャビネット半体（２）（３）の接合部との間に指を挿入することが可能な空間をおいて、該空間を包囲する様に伸びている。
【００１１】
一方のキャビネット半体（２）の表面には、ハンドル（５）の両端部によって挟まれた領域に、他方のキャビネット半体（３）との接合面に沿って伸びる断面円弧状の凸条（４）が一体成型されている。該凸条（４）は、一対のキャビネット半体（２）（３）の接合部に生じ得るエッジ（３１）の高さよりも高く形成されている。
【００１２】
従って、図３に示す如くハンドル（５）を把持した場合、ハンドル（５）を握る手の指の背面は、凸条（４）の表面に接触して受け止められ、キャビネット（１）のエッジ（３１）には接触しない。ここで、凸条（４）の表面は断面円弧状に形成されているので、指に痛みを感じたり、指が傷つくことはない。
尚、一対のキャビネット半体（２）（３）の接合面のずれが図２とは逆の関係であった場合も同様の効果が得られる。
【００１３】
上記携帯型オーディオプレーヤによれば、キャビネット（１）とハンドル（５）の間に十分な空間を取ることが出来ない場合においても、ハンドル（５）を握った手の指に痛みを感じたり、指が傷つくことがないので、安全である。
然も、凸条（４）は何れか一方のキャビネット半体（２）に一体成型によって容易に形成することが出来、精度の高い金型を用いた成型工程やエッジ（３１）を除去する仕上げ工程は不要であるので、製造工程が簡易となり、これによって製造コストの削減が図られる。
【図面の簡単な説明】
【図１】本発明に係る携帯型オーディオプレーヤの正面図である。
【図２】該オーディオプレーヤにおけるキャビネット及びハンドルの断面図である。
【図３】該オーディオプレーヤにおいてハンドルを把持した状態の断面図である。
【図４】従来の携帯型オーディオプレーヤの正面図である。
【図５】該オーディオプレーヤにおけるキャビネット及びハンドルの断面図である。
【図６】該オーディオプレーヤにおいてハンドルを把持した状態の断面図である。
【符号の説明】
（１）  キャビネット
（２）  キャビネット半体
（３）  キャビネット半体
（３１）  エッジ
（４）  凸条
（５）  ハンドル
【図１】
2004193234.tif 000003
【図２】
2004193234.tif 000004
【図３】
2004193234.tif 000005
【図４】
2004193234.tif 000006
【図５】
2004193234.tif 000007
【図６】
2004193234.tif 000008